【手続補正書】
【提出日】平成15年7月25日(2003.7.25)
【手続補正１】
【補正対象書類名】明細書
【補正対象項目名】特許請求の範囲
【補正方法】変更
【補正の内容】
【特許請求の範囲】
【請求項１】
フイルム巻取り用のスプールと、フイルム出入り口を開放する開き位置と閉鎖する閉じ位置との間で回動自在とされた遮光蓋とを備えたカートリッジ本体と、前記スプールに一端を係止した規定長さの写真フイルムとが予め組み込まれ、前記スプールに回転方向の一定の角度位置で連結された巻上げノブを撮影ごとに外部から回転操作することによって、撮影済みの写真フイルムを前記スプールに巻き付けながらカートリッジ本体に巻き込むようにしたレンズ付きフイルムユニットにおいて、
写真フイルムの前記規定長さに対応した所定回転数だけ前記巻上げノブが回転した際に巻上げノブと遮光蓋とを連結し、巻上げノブの回転により遮光蓋を閉鎖位置に向けて回動させる遮光蓋閉鎖手段と、該遮光蓋の閉鎖位置への回動に連動して巻上げノブを所定位置でロックするノブロック手段とを設け、前記カートリッジ本体内に写真フイルムが他端まで完全に巻き込まれた際に、巻上げノブの回転操作によって遮光蓋を閉鎖するとともに、前記スプールが一定の回転位置に達した時点で巻上げノブの回転操作を禁止するようにしたことを特徴とするレンズ付きフイルムユニット。
【請求項２】
前記蓋部材閉鎖手段は、巻上げノブと同軸で一体に回転される間欠ギヤと、この間欠ギヤに間欠に噛合されて所定角度ずつ歩進される第１ギヤと、この第１ギヤに噛合されて所定角度ずつ歩進されるとともに軸方向に沿って移動自在とされた第２ギヤと、この第２ギヤと一体に形成された連結用突起と、該第１ギヤと同軸で一体に回転されるとともに連結用突起に当接して第２ギヤの軸方向への移動を阻止するカム円板と、前記遮光蓋に係合して回動自在とされているとともに連結用突起に当接して第２ギヤの軸方向への移動を阻止する回動部材と、該第２ギヤを軸方向に向けて付勢する付勢部材とからなり、前記カム円板と回動部材とには、巻上げノブが所定回転数だけ回転された際に連結用突起に対面して第２ギヤの軸方向への移動を許容する切欠がそれぞれ設けられており、回動部材は切欠が連結用突起に係合されて第２ギヤの回転操作により遮光蓋の閉じ位置に向けて回動されることを特徴とする請求項１記載のレンズ付きフイルムユニット。
【請求項３】
前記蓋部材閉鎖手段は、第１ギヤと第２ギヤとの組み込み位置を変えることにより、異なる長さの写真フイルムに対応した巻上げノブの所定回転数に合わせて、第２ギヤを軸方向に移動させられることを特徴とする請求項２記載のレンズ付きフイルムユニット。
【請求項４】
前記ノブロック手段は、回動部材に対面する第１アーム部と間欠ギヤに対面する第２アーム部とを備え、揺動自在とされたロックレバーと、該第２アーム部が間欠ギヤから離れる方向に向けてロックレバーを付勢するバネ部材と、回動部材の所定位置に形成された押圧用突起と、間欠ギヤの所定位置に形成されたロック用突起とからなり、該ロックレバーは、第１アーム部が回動部材の押圧用突起に押圧された際にバネ部材の付勢に抗して揺動し、第２アーム部を間欠ギヤのロック用突起に係合させて巻上げノブを一定の回転位置でロックすることを特徴とする請求項２または３いずれか記載のレンズ付きフイルムユニット。
【請求項５】
前記ロックレバーの第１アーム部には、バネ部材の付勢によって第２ギヤの歯にクリック係合し、該第２ギヤの不用意な回転を防止する係合突起が設けられていることを特徴とする請求項４記載のレンズ付きフイルムユニット。
【請求項６】
前記カートリッジ本体は、スプールと一体に回転する表示板と、この表示板の回転方向に沿って設けられ、表示板を選択的に外部に露呈させることによって写真フイルムの未使用あるいは使用済みの表示を行う複数の表示開口とを有し、スプールが前記一定の回転位置で停止されることにより、カートリッジ本体は写真フイルムの使用済みを表示する状態になることを特徴とする請求項１ないし５いずれか記載のレンズ付きフイルムユニット。
【請求項７】
フイルム巻取り用のスプールと、フイルム出入り口を開放する開き位置と閉鎖する閉じ位置との間で回動自在とされた遮光蓋とを備えたカートリッジ本体と、前記スプールに一端を係止した規定長さの写真フイルムとが予め組み込まれ、前記スプールに回転方向の一定の角度位置で連結された巻上げノブを撮影ごとに外部から回転操作することによって、撮影済みの写真フイルムを前記スプールに巻き付けながらカートリッジ本体に巻き込むようにしたレンズ付きフイルムユニットにおいて、
写真フイルムの前記規定長さに対応した所定回転数だけ前記巻上げノブが回転され、前記カートリッジ本体内に写真フイルムが他端まで完全に巻き込まれた際に、巻上げノブの回転により遮光蓋を閉鎖位置に向けて回動させる遮光蓋閉鎖手段を設けたことを特徴とするレンズ付きフイルムユニット。
【手続補正２】
【補正対象書類名】明細書
【補正対象項目名】００１３
【補正方法】変更
【補正の内容】
【００１３】
上記巻上げノブの規定回転数をカートリッジ本体内に写真フイルムが他端まで完全に巻き込まれる分だけの回転数とすれば、底蓋を開放することなく写真フイルムの曝光の危険性なしにカートリッジ本体の遮光蓋を閉鎖することができる。なお、上記ノブロック機構の有無に係わらず、巻き上げノブを規定回数まで回転操作するだけで遮光蓋を自動的に閉じることができるので、操作性もよい。また、スプールと一体に回転する表示板が使用済みを表す表示開口の背後で停止されている状態を巻上げノブの所定位置とすれば、カートリッジ本体はレンズ付きフイルムユニットから取り出される際に必ず使用済みを表示した状態となり、取出し後の誤装填等を防止できる。


【手続補正３】
【補正対象書類名】明細書
【補正対象項目名】００４８
【補正方法】変更
【補正の内容】
【００４８】
上記回動部材８９のピン１０２には、第１ギヤ８５に噛合して所定角度ずつ歩進される第２ギヤ９０が回転自在に組み付けられる。この第２ギヤ９０の下部には、回動部材８９の凹部９９内に挿入される円筒部１０５が一体に形成されており、更にこの円筒部１０５の外周には第２ギヤ９０の歯の一つに連なって形成された連結用突起１０６が設けられている。


【手続補正４】
【補正対象書類名】明細書
【補正対象項目名】００５０
【補正方法】変更
【補正の内容】
【００５０】
ピン７９に揺動自在に取り付けられるロックレバー８６には、端部が回動部材８９と第２ギヤ９０とに対面する第１アーム部１１１と、端部が二歯ギヤ７４に対面する第２アーム部１１２とが一体に設けられている。第２アーム部１１２の下部には、ピン８０に取り付けられたバネ部材である捩じりバネ８７の一端８７ａが掛けられるピン１１３が設けられている。捩じりバネ８７の他端８７ｂは、ピン８０の近傍に設けられたピン１１５に掛けられる。これにより、ロックレバー８６はピン７９を中心として図中反時計方向に向けて付勢され、第１アーム部１１１の端部に形成された係合突起１１６が第２ギヤ９０にクリック係合し、第２ギヤ９０と、この第２ギヤ９０に噛合した第１ギヤ８５との不用意な回動を防止する。


【手続補正５】
【補正対象書類名】明細書
【補正対象項目名】００７８
【補正方法】変更
【補正の内容】
【００７８】
遮光蓋５３の閉鎖位置まで回動部材８９が回動されると、図１５に示すように、ロックレバー８６の第２アーム部１１２が二歯ギヤ７４に接近し、補助突起８３とロック用突起７６との間に挟み込まれる。これにより、巻上げノブ１０の回転がロックされ、ユーザーはフイルム巻込み操作が終了したことを確認できる。なお、巻上げノブ１０は、ロックされた際にスプール５１を角度θの状態で停止させるため、この状態で取り出されたフイルムカートリッジ１４は、図６に示すように、表示板６０が「撮影済み」を表す表示開口６７ｃに停止されている。


【手続補正６】
【補正対象書類名】明細書
【補正対象項目名】００８５
【補正方法】変更
【補正の内容】
【００８５】
なお、上記実施形態では、巻上げノブのロックによって写真フイルムの巻込み完了を確認できるようにしているが、第１ギヤ，第２ギヤ，回動部材，ロックレバーのいずれかに表示マークを設け、この表示マークを写真フイルムが全てカートリッジ本体内に巻き込まれた際に外部から視認できるようにすることもできる。


【手続補正７】
【補正対象書類名】明細書
【補正対象項目名】００９１
【補正方法】変更
【補正の内容】
【００９１】
また、ロック手段により検知される巻上げノブの一定の位置を、カートリッジ本体の表示板が撮影済みを表す表示開口の背後にある際の巻上げノブの位置としたので、ユーザーがフイルムカートリッジを取り出した場合でも、必ず取り出されたフイルムカートリッジは撮影済みを表す状態となっており、未使用品と誤ってカメラ等に誤装填するのを防止できる。なお、巻上げノブの規定回転数をカートリッジ本体内に写真フイルムが他端まで完全に巻き込まれる分だけの回転数に設定しておくだけでも、写真フイルムが他端までカートリッジ本体内に巻き込まれた時点で自動的にカートリッジの遮光蓋を閉じることができるようになる。